(57)【要約】【課題】ナプキン、タンポンの燃えるゴミ、プラスチックゴミが不衛生なので分別されていない。【解決手段】本体に分別用の仕切りを付け、衛生的にしっかりふたが閉まる様に重しをふたに付け、尚且つ触らずふたが開き、袋も仕切りを付け上部をミシン目にする事で、引っ張るだけで切り離せ、その時点で分割が完了しており、手を汚さず衛生的に、簡単に廃棄できる。【選択図】図３
2008044784.tif 000002
【特許請求の範囲】
【請求項１】
生理用のナプキン又はタンポンを廃棄する為のプルーデンスサニタリーボックスであり、不燃ゴミであるナプキンの包装フィルム又はタンポンのプラスチックケースと可燃ゴミである吸収体として使用されたナプキン又はタンポンを投棄するだけで分別する為に大容量と小容量を分ける仕切りが設けられている事を特徴とするプルーデンスサニタリーボックス。
【請求項２】
請求項１記載のプルーデンスサニタリーボックスに取り付けるプルーデンスサニタリーナップであり、プルーデンスサニタリーナップは大容量と小容量の二つの袋で構成されており、大容量の袋と小容量の袋は、その開口部から３ｃｍがプルーデンスサニタリーボックスに備え付ける為の折り返し部として互いに分離しており、その下から所定長さで大容量の袋と小容量の袋をつなげる結合部を備え、その結合部には大容量の袋と小容量の袋を引っ張るだけで切り離せる為のミシン目が設けられている事を特徴とするプルーデンスサニタリーナップ。
【請求項３】
請求項１記載のプルーデンスサニタリーボックスの外側には足で踏まれることによりふたを開閉するペダルを備え、プルーデンスサニタリーボックスのふたには棒状金属がプラスチックで被覆されて構成された重しを設けてあるのが特徴の請求項１記載のプルーデンスサニタリーボックス。
【発明の詳細な説明】
【技術分野】
【０００１】本発明はプルーデンスサニタリーボックス及びプルーデンスサニタリーナップに関し、特に生理用品の分別、廃棄を手を汚さず簡単にする事が出来るものである。
【背景技術】
【０００２】使用済ナプキン又はタンポンや包装フィルムはタンポンのプラスチックケースを全て一緒に廃棄するだけの物をトイレに設置してある。
【特許文献１】特許２００２−２４８０６６号公報
【発明の開示】
【発明が解決しようとする課題】
【０００３】しかしながら現状設置してある汚物入れは、汚物として可燃ゴミである吸収体として使用されたナプキン、タンポンと、不燃物ゴミであるナプキンの包装フィルム、タンポンのプラスチックケースを全て１つのボックス内に投棄し、分別するにも人の手でしなければならず、分別すらされていないというのが現状という問題点があった。【０００４】本発明は、上記問題点と解決する為になされたものであり、汚物を衛生的に分別し廃棄する事が出来るプルーデンスサニタリーボックスとプルーデンスサニタリーナップを提供する事を目的としている。
【課題を解決するための手段】
【０００５】本発明は上記の目的を達成するために、請求項１記載のプルーデンスサニタリーボックスはナプキンの不燃ゴミである包装フィルム又はタンポンのプラスチックケースと、可燃ゴミである吸収体として使用されたナプキン又はタンポンを投棄するだけで分別する為にプルーデンスサニタリーボックス内に大容量と小容量とを分ける仕切りが設けられている事を特徴とする。【０００６】請求項２記載のプルーデンスサニタリーナップは請求項１記載のプルーデンスサニタリーボックスに取り付けるものであり、プルーデンスサニタリーナップは大容量と小容量の二つの袋で構成されており、大容量と小容量の袋は、その開口部から３ｃｍがプルーデンスサニタリーボックスに備え付けるための折り返し部として互いに分離しており、その下から所定長さで大容量の袋と小容量の袋を繋げる結合部を備え、その結合部に大容量の袋と小容量の袋を引っ張るだけで切り離せる為のミシン目が設けられている事を特徴としている。【０００７】請求項３記載のプルーデンスサニタリーボックスは、請求項１記載のプルーデンスサニタリーボックスにおいて、プルーデンスサニタリーボックスの外側には、足で踏まれる事によりふたを開閉するペダルを備え、プルーデンスサニタリーボックスのふたには棒状金属がプラスチックで被覆されて構成された重しを設けている事を特徴とする。
【発明の効果】
【０００８】請求項１記載のプルーデンスサニタリーボックスによれば、ボックス大容量とボックス小容量を分ける仕切りを有するので、汚物による可燃ゴミと不燃ゴミを投棄するだけで分別できるという効果がある。【０００９】請求項２記載のプルーデンスサニタリーナップによれば、大容量と小容量の二つの袋状から構成されているので、汚物による可燃ゴミと不燃ゴミを投棄するだけで分別し、二つの袋状を結合するミシン目を有するので、引っ張って容易に分離でき、衛生的に分別し、廃棄できるという効果がある。【００１０】請求項３記載のプルーデンスサニタリーボックスのふたによれば、プルーデンスサニタリーボックスの外側に設けられたペダルを足で踏む開き、足を離すと閉じるので手を使わず開閉でき、プルーデンスサニタリーナップが取り付けられて、プルーデンスサニタリーナップがプルーデンスサニタリーボックス開口部とふたの間にプルーデンスサニタリーナップの折り返し部がはさまっていても重しにより容易にしっかり閉じるので衛生的に投棄できるという効果がある。
【発明を実施する為の最良の形態】
【００１１】以下、本発明の好ましい実施例について、添付図面を参照する。
図１は本発明プルーデンスサニタリーボックスの斜視図である。
図１に示すように、前記プルーデンスサニタリーボックス１は重し２、大容量と小容量を分ける仕切り３、ボックス大容量４、ボックス小容量５、ペダル６、ふた７を備えている。ペダル６を踏む事により、ふた７が開き、大容量と小容量を分ける仕切り４により、汚物の可燃ゴミと不燃ゴミとをプルーデンスサニタリーボックス１のボックス開口部８から分別でき、ふたの重し２によってペダル６から足を離すと容易にしっかりふた２を閉じる事が出来ます。
【００１２】図２は前記プルーデンスサニタリーボックスに装着する為の本発明のプルーデンスサニタリーナップの前面視図である。
図２に示すように、前記プルーデンスサニタリーナップ９はナップ大容量１０とナップ小容量１１、取り付け折り返し部１２、ナップ大容量１０とナップ小容量１１を結合させる結合部１３と、結合部に設けたミシン目１３Ａ、ナップ開口部１４を備えている。袋状のナップ大容量１０とナップ小容量１１をミシン目１３Ａによって結合して構成されているので、汚物の可燃ゴミと不燃ゴミとを開口部１４から投棄するだけで分別出来る。またミシン目１３Ａを備えているので、ナップ大容量１０とナップ小容量１１とをミシン目１３Ａ部分を引っ張ると容易に分離し、汚物の可燃ゴミと不燃ゴミとを分離し廃棄することが出来ます。
【００１３】図３は前記プルーデンスサニタリーボックス１に前記プルーデンスサニタリーナップ９を装着した斜視図である。
図３に示すようにプルーデンスサニタリーボックス１にプルーデンスサニタリーナップ９を装着するには、プルーデンスサニタリーボックス１の内周側、ボックス開口部８から、ナップ開口部１４を合せ、プルーデンスサニタリーボックス１の仕切り３又はプルーデンスサニタリーナップ９のミシン目１３Ａで分ける、ボックス大容量４にナップ大容量１０を合せ、ボックス小容量５にナップ小容量１１に合せ装着する。足でペダル６を踏み、ふた７を開け、重ねたボックス開口部８とナップ開口部１４からボックス大容量４、ナップ大容量１０とボックス小容量５、ナップ小容量１１に用途により汚物の可燃ゴミと不燃ゴミを投棄するだけで分別でき、ふた７に備えている重しによってプルーデンスサニタリーボックス１のボックス開口部８とプルーデンスサニタリーナップ開口部１４に取り付け折り返し部１２が折り返して装着してあっても、ペダル６から足を離すと容易にふた７がしっかり閉じる事が出来ます。プルーデンスサニタリーボックス１とプルーデンスサニタリーナップ９で分別された可燃ゴミと不燃ゴミはプルーデンスサニタリーボックス１のボックス開口部８からプルーデンスサニタリーナップを外し、ナップ大容量１０とナップ小容量１１とを分ける為、プルーデンスサニタリーナップ９にミシン目１３Ａを備えているので引っ張ると容易に分離し汚物の可燃ゴミと不燃ゴミが分別された状態で廃棄できます。
【図面の簡単な説明】
【００１４】
【図１】本発明のプルーデンスサニタリーボックスのふたを開けた斜視図
【図２】前記プルーデンスサニタリーボックスに装着する為の本発明のプルーデンスサニタリーナップの前面視図
【図３】前記プルーデンスサニタリーボックスに前記プルーデンスサニタリーナップを装着した全体の斜視図
【符号の説明】
【００１５】  １．プルーデンスサニタリーボックス
２．重し
３．仕切り
４．ボックス大容量
５．ボックス小容量
６．ペダル
７．ふた
８．ボックス開口部
９．プルーデンスサニタリーナップ
１０．ナップ大容量
１１．ナップ小容量
１２．取り付け折り返し部
１３．結合部
１３Ａ．ミシン目
１４．ナップ開口部
【図１】
2008044784.tif 000003
【図２】
2008044784.tif 000004
【図３】
2008044784.tif 000005
【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
生理用のナプキン又はタンポンを廃棄する為のプルーデンスサニタリーボックスであり、不燃ゴミであるナプキンの包装フィルム又はタンポンのプラスチックケースと可燃ゴミである吸収体として使用されたナプキン又はタンポンを投棄するだけで分別する為に大容量と小容量を分ける仕切りが設けられており、プルーデンスサニタリーボックス外側には足で踏まれる事によりふたを開閉するペダルを備え、プルーデンスサニタリーボックスのふたには棒状金属がプラスチックで被覆され構成された重しを設けてあるのを特徴をするプルーデンスサニタリーボックス。
【請求項２】
請求項１記載のプルーデンスサニタリーボックスに取り付けるプルーデンスサニタリーナップであり、プルーデンスサニタリーナップは大容量と小容量の二つの袋で構成されており、大容量の袋と小容量の袋は、その開口部から３ｃｍがプルーデンスサニタリーボックスに備え付ける為の折り返し部として互いに分離しており、その下から所定長さで大容量の袋と小容量の袋をつなげる結合部を備え、その結合部には大容量の袋と小容量の袋を引っ張るだけで切り離せる為のミシン目が設けられている事を特徴とするプルーデンスサニタリーナップ。
【手続補正２】
【補正対象書類名】明細書
【補正対象項目名】全文
【補正方法】変更
【補正の内容】
【発明の詳細な説明】
【技術分野】
【０００１】本発明はプルーデンスサニタリーボックス及びプルーデンスサニタリーナップに関し、特に生理用品の分別、廃棄を手を汚さず簡単にする事が出来るものである。
【背景技術】
【０００２】使用済ナプキン又はタンポンや包装フィルムはタンポンのプラスチックケースを全て一緒に廃棄するだけの物をトイレに設置してある。
【特許文献１】特許２００２−２４８０６６号公報
【発明の開示】
【発明が解決しようとする課題】
【０００３】しかしながら現状設置してある汚物入れは、汚物として可燃ゴミである吸収体として使用されたナプキン、タンポンと、不燃物ゴミであるナプキンの包装フィルム、タンポンのプラスチックケースを全て１つのボックス内に投棄し、分別するにも人の手でしなければならず、分別すらされていないというのが現状という問題点があった。【０００４】本発明は、上記問題点と解決する為になされたものであり、汚物を衛生的に分別し廃棄する事が出来るプルーデンスサニタリーボックスとプルーデンスサニタリーナップを提供する事を目的としている。
【課題を解決するための手段】
【０００５】本発明は上記の目的を達成するために、請求項１記載のプルーデンスサニタリーボックスはナプキンの不燃ゴミである包装フィルム又はタンポンのプラスチックケースと、可燃ゴミである吸収体として使用されたナプキン又はタンポンを投棄するだけで分別する為にプルーデンスサニタリーボックス内に大容量と小容量とを分ける仕切りが設けられており、そのプルーデンスサニタリーボックスの外側には、足で踏まれる事によりふたを開閉するペダルを備え、プルーデンスサニタリーボックスのふたには棒状金属がプラスチックで被覆され構成された重しを設けている事を特徴とする。【０００６】請求項２記載のプルーデンスサニタリーナップは請求項１記載のプルーデンスサニタリーボックスに取り付けるものであり、プルーデンスサニタリーナップは大容量と小容量の二つの袋で構成されており、大容量と小容量の袋は、その開口部から３ｃｍがプルーデンスサニタリーボックスに備え付けるための折り返し部として互いに分離しており、その下から所定長さで大容量の袋と小容量の袋を繋げる結合部を備え、その結合部に大容量の袋と小容量の袋を引っ張るだけで切り離せる為のミシン目が設けられている事を特徴としている。
【発明の効果】
【０００７】請求項１記載のプルーデンスサニタリーボックスによれば、ボックス大容量とボックス小容量を分ける仕切りを有するので、汚物による可燃ゴミと不燃ゴミを投棄するだけで分別できるという効果がある。更にプルーデンスサニタリーボックスの外側に設けられたペダルは足で踏み開き、足を離すと閉じるので手を使わず開閉でき、プルーデンスサニタリーナップが取り付けられて、プルーデンスサニタリーナップがプルーデンスサニタリーボックス開口部とふたの間にプルーデンスサニタリーナップの折り返し部がはさまっていても重しにより容易にしっかり閉じるので衛生的に投棄できるという効果がある。【０００８】請求項２記載のプルーデンスサニタリーナップによれば、大容量と小容量の二つの袋状から構成されているので、汚物による可燃ゴミと不燃ゴミを投棄するだけで分別し、二つの袋状を結合するミシン目を有するので、引っ張って容易に分離でき、衛生的に分別し、廃棄できるという効果がある。
【発明を実施する為の最良の形態】
【０００９】以下、本発明の好ましい実施例について、添付図面を参照する。
図１は本発明プルーデンスサニタリーボックスの斜視図である。
図１に示すように、前記プルーデンスサニタリーボックス１は重し２、大容量と小容量を分ける仕切り３、ボックス大容量４、ボックス小容量５、ペダル６、ふた７を備えている。ペダル６を踏む事により、ふた７が開き、大容量と小容量を分ける仕切り４により、汚物の可燃ゴミと不燃ゴミとをプルーデンスサニタリーボックス１のボックス開口部８から分別でき、ふたの重し２によってペダル６から足を離すと容易にしっかりふた２を閉じる事が出来ます。
【００１０】図２は前記プルーデンスサニタリーボックスに装着する為の本発明のプルーデンスサニタリーナップの前面視図である。
図２に示すように、前記プルーデンスサニタリーナップ９はナップ大容量１０とナップ小容量１１、取り付け折り返し部１２、ナップ大容量１０とナップ小容量１１を結合させる結合部１３と、結合部に設けたミシン目１３Ａ、ナップ開口部１４を備えている。袋状のナップ大容量１０とナップ小容量１１をミシン目１３Ａによって結合して構成されているので、汚物の可燃ゴミと不燃ゴミとを開口部１４から投棄するだけで分別出来る。またミシン目１３Ａを備えているので、ナップ大容量１０とナップ小容量１１とをミシン目１３Ａ部分を引っ張ると容易に分離し、汚物の可燃ゴミと不燃ゴミとを分離し廃棄することが出来ます。
【００１１】図３は前記プルーデンスサニタリーボックス１に前記プルーデンスサニタリーナップ９を装着した斜視図である。
図３に示すようにプルーデンスサニタリーボックス１にプルーデンスサニタリーナップ９を装着するには、プルーデンスサニタリーボックス１の内周側、ボックス開口部８から、ナップ開口部１４を合せ、プルーデンスサニタリーボックス１の仕切り３又はプルーデンスサニタリーナップ９のミシン目１３Ａで分ける、ボックス大容量４にナップ大容量１０を合せ、ボックス小容量５にナップ小容量１１に合せ装着する。足でペダル６を踏み、ふた７を開け、重ねたボックス開口部８とナップ開口部１４からボックス大容量４、ナップ大容量１０とボックス小容量５、ナップ小容量１１に用途により汚物の可燃ゴミと不燃ゴミを投棄するだけで分別でき、ふた７に備えている重しによってプルーデンスサニタリーボックス１のボックス開口部８とプルーデンスサニタリーナップ開口部１４に取り付け折り返し部１２が折り返して装着してあっても、ペダル６から足を離すと容易にふた７がしっかり閉じる事が出来ます。プルーデンスサニタリーボックス１とプルーデンスサニタリーナップ９で分別された可燃ゴミと不燃ゴミはプルーデンスサニタリーボックス１のボックス開口部８からプルーデンスサニタリーナップを外し、ナップ大容量１０とナップ小容量１１とを分ける為、プルーデンスサニタリーナップ９にミシン目１３Ａを備えているので引っ張ると容易に分離し汚物の可燃ゴミと不燃ゴミが分別された状態で廃棄できます。
【図面の簡単な説明】
【００１２】
【図１】本発明のプルーデンスサニタリーボックスのふたを開けた斜視図
【図２】前記プルーデンスサニタリーボックスに装着する為の本発明のプルーデンスサニタリーナップの前面視図
【図３】前記プルーデンスサニタリーボックスに前記プルーデンスサニタリーナップを装着した全体の斜視図
【符号の説明】
【００１３】  １．プルーデンスサニタリーボックス
２．重し
３．仕切り
４．ボックス大容量
５．ボックス小容量
６．ペダル
７．ふた
８．ボックス開口部
９．プルーデンスサニタリーナップ
１０．ナップ大容量
１１．ナップ小容量
１２．取り付け折り返し部
１３．結合部
１３Ａ．ミシン目
１４．ナップ開口部